(57)【要約】      （修正有）【課題】ワゴンの出し入れをスムーズに行うことができるワゴン収納装置を提供する。【解決手段】キャスター付きワゴン３を出し入れ自在に収納する前面開口の収納空間４と、ワゴン３の側面３ｄに接するように設けられ、上記収納空間４へ上記ワゴン３を案内するガイド部材５とを備え、上記収納空間４を形成し左右に対面する両側壁４ａには、少なくとも一対のガイド部材５がワゴンの上部を案内する高さで、かつ前後位置を異ならせて対設されていることを特徴とする。【選択図】図１
2008289768.tif 000002
【特許請求の範囲】
【請求項１】
キャスター付きワゴンを出し入れ自在に収納する前面開口の収納空間と、該ワゴンの側面に接するように設けられ、上記収納空間へ上記ワゴンを案内するガイド部材とを備え、上記収納空間を形成し左右に対面する両側壁には、少なくとも一対のガイド部材が前後位置を異ならせて対設されていることを特徴とするワゴン収納装置。
【請求項２】
請求項１において、
前記ガイド部材は、前記ワゴンの側面に転接するローラと、該ローラを弾性支持する支持具とを備えていることを特徴とするワゴン収納装置。
【請求項３】
請求項１又は請求項２において、
前記両側壁の下方には、前記ワゴンの出し入れ方向に沿って、レール部材が取り付けられていることを特徴とするワゴン収納装置。
【請求項４】
請求項１乃至３のいずれか１項において、
前記ガイド部材は、前記ワゴンの出し入れ方向に沿って、取付位置を調整可能にする取付具によって、前記左右に対面する両側壁に取り付けた構造にしていることを特徴とするワゴン収納装置。
【請求項５】
請求項１乃至請求項４のいずれか１項において、
前記ワゴン収納装置は、Ｌ字状に配列構成された組み合わせシステム収納装置のコーナー部近傍に配置されていることを特徴とするワゴン収納装置。
【発明の詳細な説明】
【技術分野】
【０００１】
本発明は、キャスター付きワゴンを出し入れ自在に収納するワゴン収納装置に関する。
【背景技術】
【０００２】
従来より、流し台や洗面所等のシステム収納装置において、キャスター付きワゴンを出し入れ自在に収納可能なワゴン収納装置を備えたものが種々提案されている。ワゴン収納装置に収容されるキャスター付きのワゴンとしては、料理等を食卓まで運ぶための天板を備えたワゴンの他、家事や洗面等を座って行うことができるよう設計され座面を備えたワゴン、奥に収容したものが取り出しやすいよう設計されたワゴン等がある。
【０００３】
図５は、従来のワゴン収納装置を示した全体斜視図であり、ここではシステムキッチンに適用した例を示している。
システムキッチン１００のワゴン収納箇所には、前面開口の収納空間４００を備えたワゴン収納装置２００が構成されており、ワゴン３００前面の化粧板３００ｃに設けられている取っ手３００ａを引いたり押したりすることで、ワゴン３００を収納空間４００から出し入れできるようになっている。そしてワゴン３００を収納空間４００に収納した際には、化粧板３００ｃがシステムキッチン１００の前面に設けられた開閉扉１００ａと面一となるよう設計されており、システムキッチン１００とワゴン収納装置２００に収納されたワゴン３００とが統一感のある外観を備えたものとなるよう構成されている。
ワゴン３００の収納空間４００を形成し、左右に対面する両側壁４００ａの下方には、ガイド部材５００が一対に取り付けられており、該ガイド部材５００は、ワゴン３００のキャスターｃが取り付けられる台座部３００ｂの側面に当接し、ワゴン３００が所定位置に収容されるようレール状となっている。
これによれば、左右の側壁４００ａをワゴン３００の角部で傷つけることなく、ワゴン３００の出し入れを行うことができる。
【０００４】
しかしながら、このような構造では、ワゴン３００の台座部３００ｂと、ワゴン３００の側面に当接するガイド部材５００との間に隙間（あそび）があるため、収納空間４００にワゴン３００を収納する際に、ぐらついて上記開閉扉１００ａと面一にならず傾いた状態で収納されてしまうことがあった。また縦長に構成されるワゴン３００の下方が、ガイド部材５００によって押さえ付けられた状態となるため、ワゴン３００の上方の安定性が悪くなり、ワゴン３００全体のがたつき、ぐらつきを防ぐことができず、更にワゴン３００を収納空間４００に対して直線方向に移動させなければ、スムーズに出し入れができなかった。
【０００５】
そこでガイド部材を収納空間の両側壁の上方に設け、ワゴンの上方側面にガイド部材（ガイドローラ）が当接するよう構成されたキャビネットが、下記特許文献１に開示されている。
下記特許文献１には、収納空間の開口部の近傍内側であって、流し台の天板下面に、略コの字形状の取付ベースが固着されており、その取付ベースの左右両端にガイド部材が固着されたものが記載されており（特許文献１・図５参照）、ワゴンの上方がガイド部材によって、左右両側から押圧されながら案内されるので、ぐらつくことなく、前後方向に移動できるようになっている。
【特許文献１】特開２００５−２８７６９６号公報
【発明の開示】
【発明が解決しようとする課題】
【０００６】
しかしながら、上記特許文献１に記載のガイド部材は、上述のように略コの字形状の取付ベースに固着されているため、左右対称の位置に設けられ、左右のガイド部材の取付位置を任意に変更できる構成とはなっていないものである。
よって、このようにガイド部材が左右対称に設けられている場合、ワゴンを直線方向に移動させれば、スムーズに出し入れすることができるが、例えばワゴン収納装置がＬ字状に配列された組み合わせシステム収納装置のコーナー部近傍に設けられている場合やワゴン収納装置の前空間が狭い時等、収納空間からワゴンを斜め方向に引き出したい場合は、いずれかのガイド部材が邪魔して、スムーズに引き出すことができないものであった。またワゴンを収納空間に収容する際も、斜め方向からワゴンを入れようとすると、片側のガイド部材に当たって、入れることができず、ガイド部材が破損する恐れがあった。
【０００７】
本発明は上記問題点に鑑みなされたものであり、ワゴンの出し入れをスムーズに行うことができるワゴン収納装置を提供するものである。
【課題を解決するための手段】
【０００８】
上記課題を解決するために、請求項１の発明に係るワゴン収納装置は、キャスター付きワゴンを出し入れ自在に収納する前面開口の収納空間と、該ワゴンの側面に接するように設けられ、上記収納空間へ上記ワゴンを案内するガイド部材とを備えており、上記収納空間を形成し左右に対面する両側壁には、少なくとも一対のガイド部材が前後位置を異ならせて対設されていることを特徴とする。
【０００９】
本発明において、請求項２のように、ガイド部材は、前記ワゴンの側面に転接するローラと、該ローラを弾性支持する支持具とを備えたものとでき、請求項３のように、両側壁の下方には、前記ワゴンの出し入れ方向に沿って、レール部材が取り付けられているものとすることができる。また請求項４のように、ガイド部材は、前記ワゴンの出し入れ方向に沿って、取付位置を調整可能にする取付具によって、前記左右に対面する両側壁に取り付けた構造とすることができる。更に請求項５のようにワゴン収納装置は、Ｌ字状に配列構成された組み合わせシステム収納装置のコーナー部近傍に配置されたものとすることができる。
【発明の効果】
【００１０】
本発明の請求項１に記載のワゴン収納装置によれば、収納空間を形成し、左右に対面する両側壁には、少なくとも一対のガイド部材が前後位置を異ならせて対設されているので、ワゴンを収納する際に、収納空間の前面開口に対して斜め方向にワゴンが進入してきても、前後位置を異ならせて対設されたガイド部材によって、ブレを是正し適切な収納方向へスムーズに導くことができる。例えばワゴン収納装置の向かって右側の側壁に設けられたガイド部材を収納空間の前面開口側に設置した場合、左斜め方向から収納空間へ収納がし易くなる。またワゴンを収納空間から斜め方向に引き出す際には、前後に異ならせてガイド部材が対設されているので、ガイド部材が邪魔になることがなく、スムーズに引き出すことができる。
よってワゴンを直線方向に出し入れする場合はもちろん、斜め方向に出し入れする場合もワゴンのブレを是正して、無駄な力を要することなく、スムーズに出し入れを行うことができる。
更にガイド部材は、ワゴンの側面に接して、収納空間へワゴンを案内するよう設けられており、ワゴンの左右の両側面がガイド部材と接触した状態で出し入れされるので、ワゴンががたついたり、ぐらついたりすることなく、安定した状態に維持されたまま、スムーズに出し入れすることができる。
【００１１】
本発明の請求項２に記載のワゴン収納装置によれば、ガイド部材は、前記ワゴンの側面に転接するローラと、該ローラを弾性支持する支持具とを備えているので、ワゴンに対して左右両側からガイド部材のローラが弾性的に転接され、ワゴンへの衝撃力を軽減でき、且つ弾性支持する支持具によって、適度な押圧力が加わることによって、より一層スムーズに出し入れを行うことができる。
【００１２】
本発明の請求項３に記載のワゴン収納装置によれば、両側壁の下方には、ワゴンの出し入れ方向に沿って、レール部材が取り付けられているので、ガイド部材によるワゴンの誘導を補助し、ワゴンの側面をガイド部材とレール部材との両方で支持することになるので、ワゴンがぐらつくことなく、スムーズに出し入れすることができる。またワゴンを出し入れする際に、ワゴンが蛇行して、ワゴンの角部が収納空間の壁面に当たって傷つけることを防ぐことができる。
【００１３】
本発明の請求項４に記載のワゴン収納装置によれば、ガイド部材は、ワゴンの出し入れ方向に沿って、取付位置を調整可能にする取付具によって、左右に対面する両側壁に取り付けた構造としているので、ガイド部材の取り付け位置を任意に変更することができる。よって、ワゴン収納装置の設置場所や、ユーザの使い勝手に応じて、適宜ガイド部材の取り付け位置を調整することができる。
【００１４】
本発明の請求項５に記載のワゴン収納装置によれば、Ｌ字状に配列構成された組み合わせシステム収納装置のコーナー部近傍に配置されたものとすることができる。よって、直線方向に出し入れがしにくいコーナー部近傍に形成された収納空間から、ワゴンを出し入れする際においても出し入れがし易い。
【発明を実施するための最良の形態】
【００１５】
以下、図とともに本発明の実施の形態について説明する。
図１は、本発明のワゴン収納装置が適用されたシステムキッチンの全体斜視図、図２は同ワゴン収納装置の正面図、図３は同ワゴン収納装置の横断平面図、図４は同ワゴン収納装置におけるガイド部材の取付要領を示した分解斜視図である。
図１において、システムキッチン（システム収納装置）１は、複数の収納装置をＬ字状に配列し組み合わせて構成されており、シンクを備えた流しスペース１ａ、コンロ等の加熱調理器を備えた調理スペース１ｂ、電子レンジや炊飯器等の家電製品を置くことができる物置スペース１ｃを有し、上面は天板１ｄが敷設されている。天板１ｄの下方は収納スペース１ｅとなっており、引き出しや棚で構成され、収納スペース１ｅの前面、即ち引き出しや棚の前面は、化粧板１ｆで面一になるよう構成されている。
【００１６】
システムキッチン１のコーナー部１ｇ近傍には、ワゴン収納装置２が形成されており、ここにキャスター付きのワゴン３を収容することができるように設計されている。
図２に示すようにワゴン収納装置２は、前面を開口状態とした矩形の収納空間４を備えており、下面を開放状態とすることにより、収納空間の底面とシステムキッチンが置かれた床面とを段差のない同一面とし、ワゴン３の出し入れを一層スムーズなものとしている。収納空間４を形成し左右に対面する両側壁４ａの上方には、ワゴン３の側面に接して、収納空間４へワゴン３を案内するガイド部材５が夫々設けられている。
ガイド部材５は、取付位置を調整可能にする取付具５ｂによって両側壁４ａに前後位置を異ならせて対設されており、ワゴン３の側面３ｄ（図１及び図３参照）に転接するローラ５ａとローラ５ａを弾性支持する支持具５ｂとを備えている。尚、ガイド部材５の構成については図４に基づいて後に詳述する。
収納空間４の下方にはワゴン３の出し入れ方向（収納方向）に沿って、レール部材６が設けられており、これによれば、ガイド部材５によるワゴン３の誘導を補助し、側壁４ａへの傷を防止することができる。またワゴンの側面をガイド部材とレール部材との２部材で左右両側から支持することになるので、ワゴンがぐらつくことなく、より一層スムーズに出し入れすることができる。
【００１７】
収納空間４に収納されるワゴン３（図１参照）は、上面が開口の箱型のワゴン本体３ｃからなり、下面には前後左右に移動可能なキャスターｃを備えている。ワゴン本体３ｃの前面側は化粧板３ｂが設けられており、該化粧板３ｂの前面上方には、取っ手３ａが取り付けられている。該取っ手３ａを引いたり押したりすることで、ワゴン３を収納空間４から出し入れすることができ（図１白抜矢印参照）、ワゴン３を収納空間４に収容すると、化粧板３ｂが、他の化粧板１ｆと面一になるよう構成されているので、統一感があり、外観のよいシステムキッチン１としている。
尚、ワゴン３の構成・形状は、図例のものに限定されず、複数のラックを備えたものやカゴが収容されているもの、物が置けるよう天板を備えたもの、座ることができるよう座面が設けられたもの等、ガイド部材５と接する側面３ｄを備え、収容空間４に収容可能なものであれば、様々な構成・形状のキャスター付きワゴンが適用可能である。
【００１８】
次に図３に基づいて、ワゴン３の出し入れ動作について説明する。
図３はワゴン収納装置２の横断平面図であり、この図例では、側壁４ａの上方に一対に取り付けられたガイド部材５のうち、収納空間４に対して右側（紙面右側）のガイド部材５を左側（紙面左側）のガイド部材５より前面開口側、即ち前に設け、左側のガイド部材５を右側のガイド部材５より後ろに設けた例を示している。
図のようにガイド部材５を前後位置に異ならせて対設させることにより、斜め方向（図３の点線で示したワゴン３及び矢印ｄ１の白抜矢示方向参照）からワゴン３を収納空間４に収容する場合は、ワゴン３の左側面３ｄが当接する左側のガイド部材５が軸となって、ワゴン３を収納方向（矢印ｄ２の白抜矢示方向参照）に案内する。そして、ワゴン３の右側面３ｄが右側のガイド部材５に当接し、そのまま収納方向に押していくと、斜めになったワゴン３が徐々にまっすぐに誘導される。両側壁４ａの下方に取り付けられたレール部材６も収納方向へワゴン３を案内するよう作用して、ワゴン３がまっすぐになった状態で（図３の実線で示したワゴン３参照）収納空間４に収容される。
また収納空間４からワゴン３を引き出す場合は、斜め方向（矢印ｄ１の白抜矢示方向参照）に力をかけて引き出すと右側のガイド部材５の規制から離れた時点でスムーズにワゴン３を斜め方向に引き出すことができる（図３の点線で示したワゴン３参照）。
ここでガイド部材５は、ワゴン３を出し入れする際において、ワゴン３の側面３ｄがガイド部材５に当接すると側壁４ａ側へ押圧されるように構成されており、図中、実線のローラ５ａはワゴン３の側面３ｄによって押圧されている状態、点線で示したローラ５ａはワゴン３の側面３ｄによって押圧されていない状態を示している。
【００１９】
本実施例のようなガイド部材を左右対称に同じ位置に取り付けた場合は、ガイド部材が邪魔して、このように斜め方向（矢印ｄ１の白抜矢示方向）にワゴン３を出し入れすることができなかったが、図例のように左右のガイド部材５を前後位置に異ならせることにより、直線方向への出し入れはもちろん、斜め方向への出し入れもスムーズに行うことができる。またレール部材６も取り付けられているため、ワゴン３を出し入れする際にワゴン３が蛇行して、ワゴンの角部が収納空間の壁面に当たって傷を付けることもない。
更にガイド部材５は、両側壁４ａの上方に取り付けられているため、ワゴン３の左右上方の側面３ｄに接触した状態で出し入れされるので、ワゴン３ががたついたり、ぐらついたりすることなく、安定した状態に維持したまま、スムーズに出し入れすることができる。
【００２０】
ここでは、ガイド部材５の取り付け高さが両側壁４ａの上方に取り付けられた例について説明したが、これに限定されるものではなく、ワゴン３の左右側面３ｄに当接される位置に取り付けられていればよい。またガイド部材５の取り付け位置も、図例に限定されるものではない。例えば、図例とは逆Ｌ字状のシステムキッチンに適用される場合は、左側のガイド部材５が右側のガイド部材５より前（前面開口側）に取り付けられたものとすることができる。もちろんＬ字状でなく、長方形のシステムキッチンにも適用することができる。更にレール部材６はなくてもよく、その構成もこれに限定されるものではない。
【００２１】
次に図４に基づいてガイド部材５の構成について説明する。
ガイド部材５は、ワゴン３の側面３ｄに転接するローラ５ａと、該ローラ５ａを弾性支持する支持具５ｃとを備えており、ワゴン３の出し入れ方向に沿って、取付位置を調整可能にする取付具５ｂによって、左右に対面する両側壁４ａに取り付けた構造としている。
ローラ５ａは、軸部５ａａに軸支され、ワゴン３の側面３ｄが当接すると回転するようになっており、ローラ５ａは軸部５ａａを介して支持具５ｃに固着されている。支持具５ｃは、その裏面（取付具５ｂの取付面）にバネ等の弾性部材５ｄが格納できるよう構成されており、図例のものは、ねじボルト５ｅの軸部５ｅａに弾性部材５ｄを介在させるようにしている。
取付具５ｂは、長方形の薄板からなり、ワゴン３の収納方向（図３、白抜矢印ｄ２参照）に沿って、取付位置が調整可能なように上下２本のレール５ｂａが形成されている。
レール５ｂａの所定位置に支持具５ｃを弾性部材５ｄを介在させた状態で、ねじボルト５ｅとナット５ｆとにより固着する。このときの支持具５ｃの取付位置を調整することで、両側壁４ａに設けられるガイド部材５の取付位置を前後位置に異ならせて対設させることができる。
取付具５ｂ自体は、収納空間４の両側壁４ａに同じ取付高さで且つ対称となる位置に（図２、図３参照）、４隅をねじ５ｂｂによって固着する。
【００２２】
上記構造によれば、ワゴン３に対して左右からガイド部材５のローラ５ａが弾性的に転接され、ワゴン３への衝撃力を軽減でき、弾性支持する支持具５ｃによって、適度な押圧力が加わることによって、より一層スムーズに出し入れを行うことができる。
またガイド部材５は、ワゴン３の出し入れ方向に沿って、取付位置を調整可能にする取付具５ｂによって、左右に対面する両側壁４ａに取り付けた構造としているので、ガイド部材５の取り付け位置を任意に変更することができる。よって、例えばワゴン収納装置２の設置位置（例えばワゴン収納装置２の設置位置が、システムキッチン中央から右側か左側か等）やユーザの利き手に応じて、左斜め方向に出し入れする方が使いやすい場合は、図３のように右側のガイド部材５を左側のガイド部材５より前に取り付け、右斜め方向に出し入れする方が使いやすい場合は、左側のガイド部材５を右側のガイド部材５より前に取り付ける等、適宜ガイド部材５の取り付け位置を調整することができる。
尚、ガイド部材５を構成する各部材（ローラ５ａ、取付具５ｂ、支持具５ｃ、弾性部材５ｄ等）は図例のものに限定されるものはなく、例えば弾性部材５ｄは、支持具５ｃに内蔵されたものとすることもできる。また取付具５ｂを介することなく、ローラ５ａが固着された支持具５ｃを直接両側壁４ａに取り付けたものをしてもよいことは言うまでもない。
【００２３】
本発明のワゴン収納装置２は、システムキッチン１に限定されるものではなく、洗面台用キャビネット、調理台用キャビネット、整理棚用キャビネット等、キャスター付きワゴン３を収容するためのワゴン収納装置２を備えたあらゆるシステム収納装置に適用することができる。
【図面の簡単な説明】
【００２４】
【図１】本発明のワゴン収納装置が適用されたシステムキッチンの全体斜視図である。
【図２】同ワゴン収納装置の正面図である。
【図３】同ワゴン収納装置の横断平面図である。
【図４】同ワゴン収納装置におけるガイド部材の取付要領を示した分解斜視図である。
【図５】従来のワゴン収納装置を示した全体斜視図である。
【符号の説明】
【００２５】
１          システムキッチン（システム収納装置）
２          ワゴン収納装置
３          （キャスター付き）ワゴン
３ｄ        側面
４          収納空間
４ａ        側壁
５          ガイド部材
５ａ        ローラ
５ｂ        取付具
５ｃ        支持具
【図１】
2008289768.tif 000003
【図２】
2008289768.tif 000004
【図３】
2008289768.tif 000005
【図４】
2008289768.tif 000006
【図５】
2008289768.tif 000007